(57)【要約】【課題】空気清浄機能を備え、大容量の加湿機能を有効に発揮することができ、また空気清浄度や湿度の室内環境の変化に適正に対応して、運転条件を変更することにより快適性を保つことができる加湿機能付空気清浄機を提供することを目的とする。【解決手段】本体１の吸込口２に連通して設けた清浄フィルター３の後方に配置した送風機４および加湿手段５と、本体１内に設けた清浄フィルター３を通る清浄風路１６と、清浄フィルター３と加湿手段５を通る加湿風路１９と、本体１天面の吹出口８に設けた風量調整ルーバー２３を有し、清浄風路１６と加湿風路１９を吹出口８にて合流させた吹出気流を、風量調整ルーバー２３で風量調整して、空気清浄度や湿度の室内環境の変化に適正に対応した小風量の運転ができる加湿機能付空気清浄機が得られる。【選択図】図１
2009250596.tif 000002
【特許請求の範囲】
【請求項１】
本体の前面または側面に設けた吸込口と、この吸込口に連通して本体内の前部に設けた清浄フィルターと、この清浄フィルターの後方で、かつ上下に配置した送風機および加湿手段と、前記本体の天面に設けた吹出口と、この吹出口に設けた風量調整ルーバーを有し、前記送風機は両側面に第１、第２の吸気口を備えたケーシングと、この第１、第２の吸気口に対応する第１、第２の多翼部を一体に備えた多翼ファンと、この多翼ファンを回転可能に軸支するファンモータからなり、前記本体は前記吸込口、清浄フィルター、第１の吸気口、第１の多翼部および吹出部を経由する清浄風路と、前記吸込口、清浄フィルター、加湿手段、第２の吸気口、第２の多翼部および吹出部を経由する加湿風路とを備え、前記清浄風路と加湿風路を前記吹出口にて合流させた吹出気流を、前記風量調整ルーバーで風量調整してなる加湿機能付空気清浄機。
【請求項２】
風量調整ルーバーは前記吹出口の開口面積を調整可能に設けるとともに、開閉可能に設けた請求項１記載の加湿機能付空気清浄機。
【請求項３】
加湿手段は水平横長の円筒形状をなす加湿フィルターと、この加湿フィルターを水平軸を中心に回動可能に支持する支持枠と、この支持枠を回転する駆動モータからなる請求項１または２記載の加湿機能付空気清浄機。
【請求項４】
室内の湿度を検出する湿度センサーを備え、この湿度センサーの検出湿度に応じて、風量調整ルーバーを制御してなる請求項１または２記載の加湿機能付空気清浄機。
【請求項５】
室内の湿度を検出する湿度センサーを備え、この湿度センサーの検出湿度に応じて、駆動モータを制御してなる請求項３記載の加湿機能付空気清浄機。
【請求項６】
室内の空気汚染度を検出する空気汚れセンサーを備え、この空気汚れセンサーの空気汚染度に応じて、風量調整ルーバーを制御してなる請求項１または２記載の加湿機能付空気清浄機。
【請求項７】
室内の湿度を検出する湿度センサーと、室内の空気汚染度を検出する空気汚れセンサーを備え、前記湿度センサーの検出した湿度と、前記空気汚れセンサーの空気汚染度に応じて、風量調整ルーバーまたは／かつ駆動モータを制御してなる請求項１〜３のいずれかに記載の加湿機能付空気清浄機。
【請求項８】
風量調整ルーバーは吹出口にて合流させた吹出気流を、風向変更可能とした請求項１記載の加湿機能付空気清浄機。
【発明の詳細な説明】
【技術分野】
【０００１】
本発明は、空気を浄化しながら加湿することのできる加湿機能付空気清浄機に関する。
【背景技術】
【０００２】
従来、この種の加湿機能付空気清浄機として、上流側に空気清浄部を設け、下流側に加湿部を設けた加湿機能付空気清浄機が知られている（例えば、特許文献１参照）。
【０００３】
以下、その加湿機能付空気清浄機について図７〜図９を参照しながら説明する。
【０００４】
図に示すように、吸気口１０１と排気口１０２を設けた本体ケース１０３内の空気流路１０４にフィルター１０５と、フィルター１０５の下流側に配置される送風手段１０６と、本体ケース１０３の下方に配置され、フィルター１０５により浄化された空気流路１０４の空気の一部が選択的に取り込まれる加湿流路１０７と、加湿流路１０７に配置された加湿手段１０８と、加湿された空気を外部に吹き出す吹出口１０９を設け、送風手段１０６のケーシング１１０の一部は案内板１１１により形成され、案内板１１１はリンク１１２を介して閉鎖する位置または開放する位置との間を移動し、加湿流路１０７を開閉するように構成されている。
【特許文献１】特開２００５−６１６５５号公報
【発明の開示】
【発明が解決しようとする課題】
【０００５】
このような従来の加湿機能付空気清浄機では、ケーシング１１０の一部を開放して形成された加湿流路１０７に加湿手段１０８が配置されているので、加湿運転をする場合は送風効率が悪くなり、空気清浄風量および加湿風量ともに不充分となり、冬季の乾燥シーズンにおいて、室内の空気浄化を確実に行ない、かつ湿度を適正に保つのは難しいという課題がある。
【０００６】
また、空気汚染度や湿度の室内環境が変化した場合に、その変化に対応して送風量や加湿量を調整するのが難しく、そのまま運転を継続していると、室内の空気環境がアンバランスになり、快適性を損なうという課題がある。
【０００７】
本発明は、このような従来の課題を解決するものであり、冬季の乾燥シーズンにおいて空気清浄機能および加湿機能を確実に発揮するとともに、空気汚染度や湿度の室内環境の変化に適正に対応して、運転条件を変更することにより快適性を保つことのできる加湿機能付空気清浄機を提供することを目的とする。
【課題を解決するための手段】
【０００８】
本発明の加湿機能付空気清浄機は上記目的を達成するために、本体の前面または側面に設けた吸込口と、この吸込口に連通して本体内の前部に設けた清浄フィルターと、この清浄フィルターの後方で、かつ上下に配置した送風機および加湿手段と、前記本体の天面に設けた吹出口と、この吹出口に設けた風量調整ルーバーを有し、前記送風機は両側面に第１、第２の吸気口を備えたケーシングと、この第１、第２の吸気口に対応する第１、第２の多翼部を一体に備えた多翼ファンと、この多翼ファンを回転可能に軸支するファンモータからなり、前記本体は前記吸込口、清浄フィルター、第１の吸気口、第１の多翼部および吹出部を経由する清浄風路と、前記吸込口、清浄フィルター、加湿手段、第２の吸気口、第２の多翼部および吹出部を経由する加湿風路とを備え、前記清浄風路と加湿風路を前記吹出口にて合流させた吹出気流を、前記風量調整ルーバーで風量調整したものである。
【０００９】
また、他の手段は、風量調整ルーバーは前記吹出口の開口面積を調整可能に設けるとともに、開閉可能に設けたものである。
【００１０】
また、他の手段は、加湿手段は水平横長の円筒形状をなす加湿フィルターと、この加湿フィルターを水平軸を中心に回動可能に支持する支持枠と、この支持枠を回転する駆動モータからなるものである。
【００１１】
また、他の手段は、室内の湿度を検出する湿度センサーを備え、この湿度センサーの検出湿度に応じて、風量調整ルーバーを制御してなるものである。
【００１２】
また、他の手段は、室内の湿度を検出する湿度センサーを備え、この湿度センサーの検出湿度に応じて、駆動モータを制御してなるものである。
【００１３】
また、他の手段は、室内の空気汚染度を検出する空気汚れセンサーを備え、この空気汚れセンサーの空気汚染度に応じて、風量調整ルーバーを制御してなるものである。
【００１４】
また、他の手段は、室内の湿度を検出する湿度センサーと、室内の空気汚染度を検出する空気汚れセンサーを備え、この空気汚れセンサーの空気汚染度に応じて、風量調整ルーバーまたは／かつ駆動モータを制御してなるものである。
【００１５】
また、他の手段は、風量調整ルーバーは吹出口にて合流させた吹出気流を、風向変更可能としたものである。
【００１６】
これにより、冬季の乾燥シーズンにおいて空気清浄機能および加湿機能を確実に発揮するとともに、空気汚染度や湿度の室内環境の変化に適正に対応して、運転条件を変更することにより快適性を保つことのできる加湿機能付空気清浄機が得られる。
【発明の効果】
【００１７】
本発明によれば、省スペースで十分な送風量を確保することができ、オールシーズンに渡り空気清浄機能を発揮するとともに、冬季の乾燥シーズンにおいて空気清浄機能を損なわずに大容量の加湿機能を有効に使用することができ、さらに空気汚染度や湿度の室内環境の変化に対応して、送風運転や加湿運転の仕様を変化させて、快適な環境を維持できるという効果のある加湿機能付空気清浄機を提供できる。
【００１８】
また、風量調整ルーバーは、吹出口を覆う傾斜角度を変化させて、開口面積を調整することにより、吹出気流の送風量を調節することができる。
【００１９】
また、加湿手段として回転可能に設けた加湿フィルターを用いることにより、水垢の付着などが少なく、加湿フィルターの加湿機能を充分に発揮することができ、寿命が長く、メンテナンスも容易な加湿機能付空気清浄機を提供できる。
【００２０】
また、部屋の湿度に応じて、風量調整ルーバーの角度調整または加湿フィルターの回転調整により、吹出気流の送風量または加湿フィルターの加湿量を調整して、適切な加湿運転ができる。
【００２１】
また、部屋の空気汚れ度合いに応じて、風量調整ルーバーの角度調整により、吹出気流の送風量を調整して、適切な空気清浄運転ができる。
【００２２】
また、部屋の湿度および空気汚れ度合いに応じて、風量調整ルーバーの角度調整または加湿フィルターの回転調整により、吹出気流の送風量または加湿フィルターの加湿量を調整して、空気清浄運転および加湿運転を適切に制御することができる。
【００２３】
また、風量調整ルーバーの角度調整により、風量変更と同時に風向変更も可能とすることにより、使い勝手の良い加湿機能付空気清浄機を提供できる。
【発明を実施するための最良の形態】
【００２４】
本発明の請求項１記載の発明は、本体の前面または側面に設けた吸込口と、この吸込口に連通して本体内の前部に設けた清浄フィルターと、この清浄フィルターの後方で、かつ上下に配置した送風機および加湿手段と、前記本体の天面に設けた吹出口と、この吹出口に設けた風量調整ルーバーを有し、前記送風機は両側面に第１、第２の吸気口を備えたケーシングと、この第１、第２の吸気口に対応する第１、第２の多翼部を一体に備えた多翼ファンと、この多翼ファンを回転可能に軸支するファンモータからなり、前記本体は前記吸込口、清浄フィルター、第１の吸気口、第１の多翼部および吹出部を経由する清浄風路と、前記吸込口、清浄フィルター、加湿手段、第２の吸気口、第２の多翼部および吹出部を経由する加湿風路とを備え、前記清浄風路と加湿風路を前記吹出口にて合流させた吹出気流を、前記風量調整ルーバーで風量調整してなる構成としたものであり、省スペースで十分な送風量を確保することができ、オールシーズンに渡り空気清浄機能を発揮するとともに、冬季の乾燥シーズンにおいて空気清浄機能を損なわずに大容量の加湿機能を有効に使用することができ、さらに空気汚染度や湿度の室内環境の変化に対応して、送風運転や加湿運転の仕様を変化させて、快適な環境を維持できるという作用を有する。
【００２５】
また、請求項２記載の発明は、風量調整ルーバーは前記吹出口の開口面積を調整可能に設けるとともに、開閉可能に設けたものであり、風量調整ルーバーが吹出口を覆うように傾斜角度を変化させて、吹出口の開口面積を狭く調整するとともに、風量調整ルーバーに風圧がかかるようにすることにより、吹出気流の送風量を少なく調節することができるという作用を有する。
【００２６】
また、請求項３記載の発明は、加湿手段は水平横長の円筒形状をなす加湿フィルターと、この加湿フィルターを水平軸を中心に回動可能に支持する支持枠と、この支持枠を回転する駆動モータにより構成したものであり、加湿手段として水平軸周りに回転可能に設けた加湿フィルターを用いることにより、加湿フィルターの表面が常に洗浄されるので水垢などの付着が少なく、本来の加湿機能を充分に発揮することができ、水垢や汚れによる劣化を防いで寿命を長く維持できるとともに、加湿フィルターのメンテナンスも容易にできるという作用を有する。
【００２７】
また、請求項４記載の発明は、室内の湿度を検出する湿度センサーを備え、この湿度センサーの検出湿度に応じて、風量調整ルーバーを制御してなるものであり、加湿運転が行なわれて、部屋の湿度が適正範囲になったときは、風量調整ルーバーを倒す方向に吹出口に近づけるように調整を行なうことにより、吹出口からの風量および加湿量を低減することができ、室内の湿度に合わせた適切な加湿運転ができるという作用を有する。
【００２８】
また、請求項５記載の発明は、室内の湿度を検出する湿度センサーを備え、この湿度センサーの検出湿度に応じて、駆動モータを制御したものであり、加湿運転が行なわれて、部屋の湿度が適正範囲になったときは、加湿フィルターの支持枠を回転する駆動モータを停止することにより、加湿フィルターには給水されなくなるので、加湿付加量を低減することができ、室内の湿度が上昇しないように抑制して、適切な加湿運転ができるという作用を有する。
【００２９】
また、請求項６記載の発明は、室内の空気汚染度を検出する空気汚れセンサーを備え、この空気汚れセンサーの空気汚染度に応じて、風量調整ルーバーを制御したものであり、部屋の空気汚染度に応じて、風量調整ルーバーの角度を吹出口に近づけるように調整することにより、室内の空気汚染度が上昇しない間は、吹出気流の送風量を少なく調整して、無駄な運転を省き、適切な空気清浄運転ができるという作用を有する。
【００３０】
また、請求項７記載の発明は、室内の湿度を検出する湿度センサーと、室内の空気汚染度を検出する空気汚れセンサーを備え、前記湿度センサーの検出した湿度と、前記空気汚れセンサーの空気汚染度に応じて、風量調整ルーバーまたは／かつ駆動モータを制御してなるものであり、部屋の湿度および空気汚染度に応じて、風量調整ルーバーの角度調整または加湿フィルターの回転調整により、吹出気流の送風量または加湿フィルターの加湿量を調整して、空気清浄運転および加湿運転を適切に制御できるという作用を有する。
【００３１】
また、請求項８記載の発明は、風量調整ルーバーにより、吹出口にて合流させた吹出気流を、風向変更可能としたものであり、風量調整ルーバーを吹出口方向に傾斜して小風量で運転するときは、吹出気流の送風方向も水平方向に近い居住空間に向けられるので、小風量であっても快適性を保つ送風運転となり、使用者にとって風量調整と風向制御が同時にできるので、操作性が良くなるという作用を有する。
【００３２】
以下、本発明の実施の形態について図面を参照しながら説明する。
【００３３】
（実施の形態１）
図１〜図５に示すように、本体１の前面または側面に吸込口２を設け、本体１の天面に吹出口８を設け、吸込口２に連通して本体１内の前部に清浄フィルター３を設け、この清浄フィルター３の後方に送風機４および加湿手段５を収納している。送風機４および加湿手段５は本体１内で上下に重ねて配置され、加湿手段５は本体１に着脱可能に装着される水槽６に収納され、加湿手段５に給水する給水タンク７が水槽６に収納されている。
【００３４】
また加湿手段５は水平横長の円筒形状をなす加湿フィルター２０と、この加湿フィルターを水平軸を中心に回動可能に支持する支持枠２１と、この支持枠２１を回転する駆動モータ２２とで構成されている。送風機４は両側面に第１の吸気口９と第２の吸気口１０をそれぞれ備えた第１、第２のケーシング１１、１２と、この第１、第２の吸気口に対応する第１、第２の多翼部を一体に備えた多翼ファン１３と、この多翼ファン１３を回転可能に軸支する送風機４とで構成されている。本体１は吸込口２、清浄フィルター３、第１の吸気口９、第１の多翼部１４および第１の吹出口１５を経由する清浄風路１６と、吸込口２、清浄フィルター３、加湿手段５、第２の吸気口１０、第２の多翼部１７および第２の吹出口１８を経由する加湿風路１９を有している。
【００３５】
また、風量調整ルーバー２３は吹出口８を覆うように回動可能に設け、吹出口８の開口面積を調整可能に設けるとともに、開閉可能に設けている。このことにより、清浄風路１６と加湿風路１９を吹出口８にて合流させた吹出気流は、風量調整ルーバー２３で風量調整できる構成としている。
【００３６】
上記構成において、給水タンク７より水槽６に給水したのち、運転を開始すると、送風機４および加湿フィルター２０が駆動し、送風機４により吸気口２より汚染されている室内の空気が吸気され、清浄フィルター３により汚染空気が清浄化される。このとき、清浄フィルター３通過した大部分の清浄空気は、第１の吸気口９より清浄風路１６を通過して、天面に設けた吹出口８から吐出される。また、残りの清浄空気は、本体１の下部に設けた加湿フィルター２０を通過するときに水分が供給されて加湿空気となり、上方向に風向変更する加湿風路１９を経由して、天面に設けた吹出口８から清浄空気とともに吐出されることとなる。
【００３７】
このように、本体１内に清浄風路１６と加湿風路１９を設けて、両側面に第１の吸気口９と第２の吸気口１０をそれぞれ備えた送風機４に接続して、本体１天面の吹出口８から送風することにより、使用者にドラフト感（冷風感）を与えることなく、省スペースで十分な送風量を確保することができ、オールシーズンに渡り空気清浄機能を発揮するとともに、冬季の乾燥シーズンにおいて空気清浄機能を損なわずに大容量の加湿機能を有効に利用することができる。
【００３８】
また、加湿手段として水平軸周りに回転可能に設けた加湿フィルター２０を用いることにより、加湿フィルター２０の表面が常に洗浄されるので水垢などの付着が少なく、本来の加湿機能を充分に発揮することができ、水垢や汚れによる劣化を防いで寿命を長く維持できるとともに、加湿フィルター２０のメンテナンスも容易に行なうことができる。
【００３９】
また、清浄風路１６と加湿風路１９を吹出口８にて合流させた吹出気流は、風量調整ルーバー２３を吹出口８方向に倒すことにより、吹出風量が少なく調整され、吹出口８から離れる方向に戻すことにより、吹出風量が多く調整されるものである。
【００４０】
したがって空気汚染度や湿度の室内環境の変化に対応して、風量調整ルーバー２３を回動することにより、送風運転や加湿運転の仕様を変化させて、快適な環境を維持することができるものである。
【００４１】
なお、本実施の形態では、吹出風量の調整は風量調整ルーバー２３の回動角度を変更するのみとしたが、通常は送風機４の回転制御により風量調整を行なうのが一般的であり、両者を併用することにより、さらに有効に風量調整ができるものである。
【００４２】
（実施の形態２）
図６に示すように、室内の湿度を検出する湿度センサー２４を備え、この湿度センサー２４の検出湿度に応じて、風量調整ルーバー２３を回動することにより、風量を調整するだけでなく、風向変更できるようにしている。また、加湿フィルター２０の駆動モータ２２についても、湿度センサー２４の検出湿度に応じて、駆動制御できるようにしている。
【００４３】
また、室内の空気汚染度を検出する空気汚れセンサー２５を備え、この空気汚れセンサー２５の空気汚染度に応じて、風量調整ルーバー２３を回動制御できるようにしている。
【００４４】
また、湿度センサー２４と空気汚れセンサー２５を備え、湿度センサー２４の検出した湿度および空気汚れセンサー２５の空気汚染度に応じて、風量調整ルーバー２３または／かつ駆動モータ２２を制御できるようにしている。
【００４５】
また、風量調整ルーバー２３は吹出口８にて合流させた吹出気流を、風向変更可能とした構成としている。
【００４６】
上記構成において、まず、加湿運転が行なわれて、部屋の湿度が適正範囲になったときは、つぎに風量調整ルーバー２３を倒す方向に吹出口８に近づけるように調整を行なうことにより、吹出口８からの風量および加湿量を低減することができ、同様に、部屋の湿度が適正範囲になったときに、加湿フィルター２０の支持枠を回転する駆動モータ２２を停止することにより、加湿フィルター２０には給水されなくなるので、加湿付加量を低減することができ、室内の湿度が上昇しないように抑制して、室内の湿度に合わせた適切な加湿運転ができるものである。
【００４７】
また、空気清浄運転が行なわれて、部屋の空気汚染度が適正範囲になったときは、つぎに部屋の空気汚染度に応じて、風量調整ルーバー２３の角度を吹出口８に近づけるように調整することにより、室内の空気汚染度が上昇しない間は、吹出気流の送風量を少なく調整して、無駄な運転を省き、適切な空気清浄運転ができるものである。
【００４８】
また、部屋の湿度および空気汚染度に応じて、風量調整ルーバー２３の角度調整または加湿フィルター２０の回転調整により、吹出気流の送風量または加湿フィルター２０の加湿量を調整して、空気清浄運転および加湿運転を適切に制御できるものである。
【００４９】
また、風量調整ルーバー２３を吹出口８方向に傾斜して小風量で運転するときは、吹出気流の送風方向も水平方向に近い居住空間に向けられるので、小風量であっても快適性を保つ送風運転となり、使用者にとって風量調整と風向制御が同時にできるので、操作性が良くなるものである。
【００５０】
なお、本実施の形態では、湿度センサー２４または空気汚れセンサー２５の検出値に応じて風量調整ルーバー２３を回動制御しているが、送風機４の回転制御との併用により、さらにきめ細かい有効な風量調整をすることができるものである。
【産業上の利用可能性】
【００５１】
本発明にかかる加湿機能付空気清浄機は、空気清浄機能をオールシーズン利用できるとともに、冬季の乾燥シーズンにおいては大容量でかつ、適切な加湿機能を有効に使用することができるという効果を奏し、加湿機能付空気清浄機等として有用である。
【図面の簡単な説明】
【００５２】
【図１】本発明の実施の形態１の加湿機能付空気清浄機の斜視図
【図２】同加湿機能付空気清浄機の内部斜視図
【図３】同加湿機能付空気清浄機の清浄フィルタ着脱後の内部斜視図
【図４】同加湿機能付空気清浄機の後部ケースを着脱後の内部斜視図
【図５】同加湿機能付空気清浄機の断面図
【図６】本発明の実施の形態２の加湿機能付空気清浄機の内部正面図
【図７】従来の加湿機能付空気清浄機の側断面図
【図８】同加湿機能付空気清浄機の案内板の閉鎖した状態の縦断面図
【図９】同加湿機能付空気清浄機の案内板の開放した状態の縦断面図
【符号の説明】
【００５３】
１    本体
２    吸込口
３    清浄フィルター
４    送風機
５    加湿手段
６    水槽
７    給水タンク
８    吹出口
９    第１の吸気口
１０  第２の吸気口
１１  第１のケーシング
１２  第２のケーシング
１３  多翼ファン
１４  第１の多翼部
１５  第１の吹出部
１６  清浄風路
１７  第２の多翼部
１８  第２の吹出部
１９  加湿風路
２０  加湿フィルター
２１  支持枠
２２  駆動モータ
２３  風量調整ルーバー
２４  湿度センサー
２５  空気汚れセンサー
【図１】
2009250596.tif 000003
【図２】
2009250596.tif 000004
【図３】
2009250596.tif 000005
【図４】
2009250596.tif 000006
【図５】
2009250596.tif 000007
【図６】
2009250596.tif 000008
【図７】
2009250596.tif 000009
【図８】
2009250596.tif 000010
【図９】
2009250596.tif 000011